(57)【要約】【課題】低コストかつ安全性が高い放射能汚染物の廃棄方法を提供することである。【解決手段】黒鉱１２を有する鉱山１０の坑道１４に放射能汚染物１６を入れて廃棄するものであり、特に、放射能の漏えいを防止する封止手段２０で前記坑道１４の入り口１８を塞ぐとともに、放射能の漏えいを防止する放射能漏えい防止手段２８を施した容器２２に前記放射能汚染物１６を収容して前記坑道１４に入れて廃棄する放射能汚染物の廃棄方法である。【選択図】      図１
2015087177.tif 000002
【特許請求の範囲】
【請求項１】
鉱山の坑道に放射能汚染物を入れて廃棄することを特徴とする放射能汚染物の廃棄方法。
【請求項２】
放射能の漏えいを防止する封止手段で前記坑道の入り口を塞ぐことを特徴とする請求項１に記載の放射能汚染物の廃棄方法。
【請求項３】
放射能の漏えいを防止する放射能漏えい防止手段を施した容器に前記放射能汚染物を収容して前記坑道に入れることを特徴とする請求項１又は２に記載の放射能汚染物の廃棄方法。
【請求項４】
前記鉱山は、黒鉱を含むことを特徴とする請求項１乃至３のいずれか１項に記載の放射能汚染物の廃棄方法。
【請求項５】
前記坑道の内壁面に、ポリマーを付与したことを特徴とする請求項１乃至４のいずれか１項に記載の放射能汚染物の廃棄方法。
【請求項６】
前記ポリマーは、タイヤを溶かして生成されたものを利用することを特徴とする請求項５に記載の放射能汚染物の廃棄方法。
【請求項７】
前記容器は、内側に金属を装着した金属容器又はポリマーで生成されたポリマー容器を利用することを特徴とする請求項１乃至６のいずれか１項に記載の放射能汚染物の廃棄方法。
【発明の詳細な説明】
【技術分野】
【０００１】
本発明は、放射能汚染物の廃棄方法に関する。
【背景技術】
【０００２】
従来の放射能汚染物を保管するための容器として、例えば、鉄筋コンクリート製の容器と、容器に開口部を形成できる着脱自在な篏合部材から少なくとも構成され、篏合部材を、容器の側面および／または上面に設けたものが知られている。
【０００３】
容器の篏合部材は、板状部と、板状部の面積よりも小さな面積を有する篏挿部から一体的に構成されてなるものや、板状部と、板状部の面積よりも小さな面積を有する篏挿部とから構成されてなるものが含まれている。
【先行技術文献】
【特許文献】
【０００４】
【特許文献１】特開２０１３−１５２１６４号公報
【発明の概要】
【発明が解決しようとする課題】
【０００５】
ところで、上記した従来技術では、例えば、２０１１年の東北・東日本大震災による原子力発電所の事故により、膨大な量の放射能汚染物が発生した場合には、放射能汚染物あるいは放射能汚染物を収容した容器の廃棄場所が足らなくなり、現実的ではない。また、容器には、製品寿命があるため、定期的にメンテナンス等が必要となり、安全性に問題があった。
【０００６】
そこで、本発明は、上記問題に鑑み、低コストかつ安全性が高い放射能汚染物の廃棄方法を提供することを目的とする。
【課題を解決するための手段】
【０００７】
本発明は、鉱山の坑道に放射能汚染物を入れて廃棄することを特徴とする放射能汚染物の廃棄方法である。
【０００８】
この場合、放射能の漏えいを防止する封止手段で前記坑道の入り口を塞ぐことが好ましい。
【０００９】
この場合、放射能の漏えいを防止する放射能漏えい防止手段を施した容器に前記放射能汚染物を収容して前記坑道に入れることが好ましい。
【００１０】
この場合、前記鉱山は、黒鉱を含むものを利用することが好ましい。
【００１１】
この場合、前記坑道の内壁面に、ポリマーを付与したことが好ましい。
【００１２】
この場合、前記ポリマーは、タイヤを溶かして生成されたものを利用することが好ましい。
【００１３】
この場合、前記容器は、内側に金属を装着した金属容器又はポリマーで生成されたポリマー容器を利用することが好ましい。
【発明の効果】
【００１４】
本発明によれば、低コストかつ安全性が高い放射能汚染物の廃棄方法を実現できる。
【図面の簡単な説明】
【００１５】
【図１】本発明の一実施形態の放射能汚染物の廃棄方法により鉱山の坑道に放射能汚染物を廃棄した状態の概念図である。
【図２】本発明の一実施形態の放射能汚染物の廃棄方法で使用する容器の構成を示した説明図である。
【図３】本発明の一実施形態の放射能汚染物の廃棄方法で使用する坑道の状態を示した説明図である。
【発明を実施するための形態】
【００１６】
本発明の一実施形態に係る放射能汚染物の廃棄方法について、図面を参照して説明する。
【００１７】
本発明の「放射能汚染物」とは、原子力発電所等により生成された放射性物質の他に、放射能により汚染された物を含む意味である。
【００１８】
図１乃至図３に示すように、鉱山１０の坑道１４に放射能汚染物１６を入れて坑道１４の入り口１８を封止手段２０で塞ぐ放射能汚染物の廃棄方法である。
【００１９】
鉱山１０は、黒鉱（ＢＬＡＣＫ  ＯＲＥ）１２を含む鉱山を利用することが好ましい。黒鉱１２により放射能を遮断して鉱山１０の外部に漏えいすることを阻止することができる。具体的には、黒鉱１２は金、銀、銅、鉛、亜鉛などの重金属の硫酸化物が主体で構成されており、これらの重金属が放射能の鉱山外部への漏えいを阻止する。
【００２０】
ここで、黒鉱の鉱山１０は、幸いにして、北海道日本海側の北日本、北陸地方などに多数存在している。この黒鉱は、金、銀、銅、鉛、亜鉛などの重金属の硫酸化物が主体で構成されている。例えば、秋田県大館市などは８０万〜１２０万トンが採掘されていた大きな坑道が現存している。今まだに多くの重金属が残っているが、経済的な理由であまり採掘していない鉱山や既に閉山してしまった鉱山は多数存在する。例えば、十和田湖の西南西から南西へつながっている黒鉱フィールドや花岡鉱山などは平成６年に閉山している。このような黒鉱の鉱山の坑道を利用することにより、２００〜３００万トンの放射能汚染物を保管することができる。
【００２１】
特に、閉山した鉱山では、土を掘る作業も終わっており、かつ放射能汚染物などを鉱山の奥に送る運搬システムも容易に再開することができる。そして、黒鉱の鉱山の重金属は、放射能が容器などから漏れた場合でも、放射能が鉱山外部の地上に届かないように遮断する機能がある。
【００２２】
このように、既存の鉱山１０の坑道１４を放射能汚染物１６の廃棄場所として利用することにより、新たにはじめから廃棄場所を作る必要がない。また、坑道１４の運搬システムを再構築あるいはメンテナンスすることにより、坑道１４の隅々へ放射能汚染物１６を送ることができる。この結果、コストの削減に大きく寄与することができる。また同時に、鉱山１０の黒鉱１２が放射能を遮断するため、鉱山外部へ放射能が漏えいする危険もない。この結果、放射能汚染の安全性を高めることができる。
【００２３】
図２に示すように、放射能汚染物１６は、容器２２の内部に収容されて坑道１４に廃棄されることが好ましい。容器２２は、凹部２４Ａが形成された容器本体２４と、容器本体２４の凹部２４Ａを覆う蓋２６と、を有している。容器本体２４と蓋２６の内側には、放射能汚染物１６の放射能が外部へ漏えいしないように放射能漏えい防止手段２８が設けられている。
【００２４】
具体的に、放射能漏えい防止手段２８は、鉛の他に、高密度の金属で構成されていることが好ましい。例えば、金属として、Ｆｅ（鉄）、Ａｕ（金）、Ｐｔ（白金）、Ｉｒ（イリジウム）等がある。
【００２５】
その他、容器２２又は／及び放射能漏えい防止手段２８として、ポリマー（合成ポリマー、天然ポリマーなど）、例えば、ポリエチレン、ポリプロピレン、天然ゴムを利用してもよい。
【００２６】
さらに、容器２２をセメントにより製造してもよい。
【００２７】
容器本体２４の凹部２４Ａに放射能汚染物１６を収容した後、容器本体２４に蓋２６を被せて、放射能汚染物１６を密閉する。このとき、木材等は一旦燃焼させて体積を小さくした後で容器２２の内部に収容することが好ましい。
【００２８】
図１に示すように、封止手段２０は、鉱山１０の黒鉱１２を含んだ土で形成したものでもよく、その他、放射能を外部に漏えいさせない材質で構成したものが好ましい。封止手段２０は、例えば、鉛、上記金属類、ポリマー、等で構成されていることが好ましい。これにより、封止手段２０から外部に放射能が漏れ出すことを防止できる。
【００２９】
図３に示すように、坑道１４の内壁面１４Ａに、ポリマー３０を付与（例えば吹き付け）することが好ましい。ここで、「坑道１４の内壁面１４Ａ」とは、坑道１４の両側面、上面、底面の少なくともいずれか１つ、あるいは全部を意味するものである。
【００３０】
次に、ポリマー３０について説明する。
【００３１】
ポリマー３０の分類には、天然高分子、合成高分子、半合成高分子がある。
【００３２】
天然高分子は、例えば、多糖（セルロース、グルコース）、たんぱく質、核酸、
天然ゴム、無機高分子などがある。
【００３３】
合成高分子は、例えば、合成法から以下のように分類できる。
ａ．付加重合系ポリマー；ポリオレフィン、ビニル系ポリマー等
ｂ．縮合系ポリマー；ポリエステル、ＰＥＴ等
ｃ．開環重合系ポリマー；ポリエーテル、６−ナイロン等
ｄ．重付加系ポリマー；ポリウレタン、熱硬化性ポリイミド等
ｅ．付加縮合系ポリマー；フェノール樹脂、尿素樹脂、メラミン樹脂等
【００３４】
合成高分子は、例えば、化学構造から、熱可塑性ポリマーと、熱硬化性ポリマーと、に分類できる。
【００３５】
（熱可塑性ポリマー）
ａ．ポリエチレン（ＰＥ）
ｂ．ポリプロピレン（ＰＰ）
ｃ．ポリスチレン（ＰＳ）
ｄ．アクリロニトリル−ブタジエン−スチレン共重合樹脂（ＡＢＳ）
ｅ．ポリ塩化ビニル（ＰＶＣ）
ｆ．ポリエチレンテレフタレート（ＰＥＴ）
ｇ．汎用エンジニアリングプラスチック
【００３６】
（熱硬化性ポリマー）
ａ．不飽和ポリエステル
ｂ．エポキシ樹脂
ｃ．フェノール樹脂、メラミン樹脂、尿素樹脂
ｄ．ウレタンフォーム
【００３７】
坑道１４の内壁面１４Ａに付与するポリマー３０は、古いタイヤを溶かして生成したものを利用することが好ましい。
【００３８】
また、上記ポリマー３０は、いわゆる合成ポリマーを利用してもよい。
【００３９】
以上のように、本実施形態によれば、日本各地に散在している鉱山１０の坑道１４を利用して、放射能汚染物１６を廃棄することが可能である。鉱山１０は既に閉山しているものがほとんどであるが、坑道１４が既にでき上がっているため、工事に伴う労力とコストを削減できる。また、坑道内の運搬システムについても既に基礎ができ上がっているので、僅かなメンテナンス作業により復活させることが可能である。これにより、放射能汚染物１６の運搬作業が容易になる。このように既に存在する鉱山１０を放射能汚染物１６の廃棄場所として利用することにより、新たな膨大な量の石棺を製造する場合と比較して、コストを大幅に削減することができる。
【００４０】
鉱山１０の坑道１４に放射能汚染物１６を廃棄したことにより、鉱山１０に存在する黒鉱１２が放射能を遮断する。これにより、鉱山１０の外部に放射能が漏れ出すことを防止でき、放射能汚染物１６の廃棄場所としての安全性を高めることができる。
【００４１】
特に、放射能漏えい防止機能を有する容器２２に放射能汚染物１６を収容して鉱山１０の坑道１４に廃棄することにより、鉱山外部への放射能の漏れの防止効果を高めることができる。また、たとえ容器２２の製品寿命により容器２２の外部に放射能が漏れ出した場合でも、鉱山１０の黒鉱１２が放射能の外部への漏えいを阻止する。この結果、安全性の極めて高い廃棄場所になる。
【００４２】
さらに、坑道１４の内壁面１４Ａにはポリマー３０が付与されているため、ポリマー３０が放射能汚染物１６の放射能を遮断して放射能汚染物１６が坑道１４の内壁面１４Ａから鉱山１０の内部にしみ込むことを阻止できる。この結果、地下水が放射能で汚染されることを阻止できる。
【符号の説明】
【００４３】
１０    鉱山
１２    黒鉱
１４    坑道
１６    放射能汚染物
１８    入り口
２０    封止手段
２２    容器
２４    容器本体
２６    蓋
２８    放射能漏えい防止手段
３０    ポリマー
【図１】
2015087177.tif 000003
【図２】
2015087177.tif 000004
【図３】
2015087177.tif 000005